(57)【要約】【課題】遊技盤等が設けられている内枠を遊技機の前面から開放する際に、鍵に負担がかかるため、該鍵が折損し、シリンダ錠に折損した該鍵の先端部が残留してしまう。その残留物をシリンダ錠内部から取り出すことが困難であることから、シリンダ錠を分解する等の多くの手間がかかる作業を行う問題が生じている。【解決手段】押出装置９８を搭載したシリンダ錠３６において、鍵９１を挿入した状態で折損し、折損した鍵９１の先端部９１ａが残留してしまった場合には、搭載した押出装置９８に設けている圧縮バネ９８ｂの復元力により、押出部９８ａが鍵穴３９ａへと移動可能となっている。これにより、残留した折損した鍵９１の先端部９１ａを鍵穴３９ａ側へと押し出すことができる【選択図】図１３
2014226279.tif 000002
【特許請求の範囲】
【請求項１】
遊技機の前面側に配設されたシリンダ錠の挿入部に鍵を挿入し、該鍵を一定方向に捻ることで、付勢された第１スライド部材がスライドし、開放可能となる、遊技盤が取り付けられた内枠と、
遊技機の前面側に配設された前記シリンダ錠の前記挿入部に該鍵を挿入し、該鍵を前記一定方向と逆方向に捻ることで、付勢された第２スライド部材がスライドし、開放可能となる、前枠を備えた遊技機において、
前記シリンダ錠内部に設けられたタンブラーと、
前記シリンダ錠内部から前記鍵の前記挿入部側に移動可能な押出手段と
を備え、
前記押出手段は、前記移動により、前記タンブラーより奥にある残留物を前記鍵の前記挿入部側方向に押し出すようにしたことを特徴とする遊技機。
【請求項２】
前記押出手段は、
前記シリンダ錠内部に弾性体を備え、
前記シリンダ錠内部の残留物を該弾性体の復元力により、前記鍵の前記挿入部側方向に押し出すようにしたことを特徴とする請求項１に記載の遊技機。
【請求項３】
前記押出手段は、
前記シリンダ錠外部からの操作により、前記移動し、前記シリンダ錠内部の残留物を前記鍵の前記挿入部側方向に押し出すようにしたことを特徴とする請求項１又は請求項２に記載の遊技機。
【発明の詳細な説明】
【技術分野】
【０００１】
本発明は、遊技機の施錠装置に関するものである。
【背景技術】
【０００２】
現在、遊技場に設置されている多くの遊技機は、外枠に内枠が開閉可能に取り付けられ、内枠に前枠（ガラス枠）が開閉可能に取り付けられており（外枠に内枠及び前枠が開閉可能に取り付けられている構成もある）、内枠に遊技盤や遊技球を払い出すための払出装置が取り付けられている（内枠に機構盤を取り付け、該機構盤に遊技盤や払出装置を取り付ける構成もある）。
なお、主制御装置、演出図柄制御装置、ランプ制御装置、音制御装置は遊技盤に取り付けられ（遊技盤に直に取り付けるのではなく、遊技盤に制御装置を取り付け、その制御装置の上に異なる制御装置を取り付ける構成もある）、払出制御装置、電源基板（装置）、発射制御装置などは内枠に取り付けられる。
【０００３】
遊技機の前面側には、文献１に記載されているシリンダ錠が配設されており、該シリンダ錠にはスライド式施錠装置が設けられている。なお、スライド式施錠装置に備えられているスライド部材は、一方方向にスライド移動しても初期位置に戻るようにバネ等により付勢されている。
鍵をシリンダ錠の挿入部に挿入して、スライド部材の付勢力に抗して、該鍵を時計回りに捻ることで、遊技機の内枠に備えられているスライド部材が移動し、遊技盤を備えた内枠が開放可能となる。
また、該鍵をシリンダ錠の挿入部に挿入し、スライド部材の付勢力に抗して、該鍵を反時計回りに捻ることで、遊技機の内枠に備えられているスライド部材が逆方向に移動し、前枠が開放可能となる。なお、内枠又は前枠を開放するには、該鍵をシリンダ錠に挿入し、該鍵を時計回り又は反時計回りに捻りながら、内枠又は前枠を前面から引っ張る必要がある(該鍵を反時計回りに捻るだけで、前枠が開放となる構成もある)。
【先行技術文献】
【特許文献】
【０００４】
【特許文献１】特開２００６−３１６５８２号
【特許文献２】特開２０１０−１３８５５８号
【発明の概要】
【発明が解決しようとする課題】
【０００５】
このように、遊技機の内枠又は前枠を開放するためには、鍵をシリンダ錠の挿入部に挿入し時計回り又は反時計回りに捻ることが必要となる。スライド部材は初期位置に付勢されているので、該鍵を捻った状態で手を放すとスライド部材は初期位置に戻るため、該鍵も通常の状態に戻ってしまう。そのため、内枠を取り出したい場合には、該鍵を時計回りに捻りつつ遊技盤等が設けられている内枠を前面から開放することが必要となり、内枠の開放時には該鍵に負担がかかってしまう。また、前枠の開放も、該鍵も反時計回りに捻りつつ行うので、内枠の開放時ほどではないが該鍵に負担がかかる。
これにより、パチンコ機の該鍵が折損してしまい、シリンダ錠内部に折損した該鍵の先端部が残留することがある。その折損した該鍵の先端部をシリンダ錠内部から取り出すことは困難であることから、該シリンダ錠を分解する必要となり、多くの手間がかかってしまう問題が生じる。
【課題を解決するための手段】
【０００６】
上記課題を解決するためになされた本発明の請求項１に記載の遊技機は、遊技機の前面側に配設されたシリンダ錠の挿入部に鍵を挿入し、該鍵を一定方向に捻ることで、付勢された第１スライド部材がスライドし、開放可能となる遊技盤が取り付けられた内枠と、遊技機の前面側に配設された前記シリンダ錠の前記挿入部に該鍵を挿入し、該鍵を前記一定方向と逆方向に捻ることで、付勢された第２スライド部材がスライドし、開放可能となる前枠を備えた遊技機において、前記シリンダ錠内部に設けられたタンブラーと、前記シリンダ錠内部から前記鍵の前記挿入部側に移動可能な押出手段とを備え、前記押出手段は、前記移動により、前記タンブラーより奥にある残留物を前記鍵の前記挿入部側方向に押し出すようにしたことを特徴とする。
【０００７】
遊技機は大きく分けて外枠、内枠、前枠の３個の枠から構成され、各々の枠にそれぞれ遊技部品が取り付けられている。なお、前枠は遊技機の前面に設けられた透明部材（ガラスや樹脂）が取付けられるのでガラス枠とも呼ぶ。
外枠と内枠の左側上下にヒンジを設けるとともに内枠と前枠の左側上下にもヒンジに設けることで、外枠に対して内枠は開閉可能になり、内枠に対して前枠が開閉可能になっている。また、外枠、内枠及び前枠の左側上下にもヒンジを設けることで、外枠に対して内枠と前枠が開閉可能となる構成も考えられる。 
内枠には、釘や入賞口が配置され、発射された遊技球が転がる遊技盤が取り付けられるが、遊技盤を直に内枠に取り付ける構成であってもよいし、内枠に遊技盤取り付け部材を取り付け、該遊技盤取り付け部材に遊技盤を取り付ける構成にしてもよい。
【０００８】
また、従来の遊技機には遊技機全体を司る主制御装置、遊技球の払出を制御する払出制御装置、遊技機の電源を制御する電源基板（装置）、遊技球の発射を制御する発射制御装置、演出図柄表示装置を制御する演出図柄制御装置、遊技機に設けられた発光部材を制御するランプ制御装置、遊技機から発生する音を制御する音制御装置など、様々な制御装置が設けられている。  
主制御装置、演出図柄制御装置、ランプ制御装置、音制御装置は遊技盤に取り付けられ（遊技盤に直接取り付けられるのではなく、例えば、遊技盤に演出図柄制御装置を取り付け、演出図柄制御装置の上に主制御装置を取り付ける構成でもよい。）、払出制御装置、電源基板（装置）、発射制御装置は内枠に取り付けられる（内枠に直接取り付けるのではなく、機構板などに取り付ける構成でもよい）。
【０００９】
遊技機の前面側にはシリンダ錠が配設されており、該シリンダ錠にはスライド式施錠装置が設けられている。なお、このスライド式施錠装置に備えられているスライド部材は、一方方向にスライド移動しても初期位置に戻るようにバネ等により付勢されている。これにより、内枠又は前枠を開放するためには、該鍵をシリンダ錠に挿入し、該鍵を時計回り又は反時計回りにスライド部材の付勢力に抗しながら捻りつつ、内枠又は前枠を前面から引っ張りだす必要がある(該鍵を反時計回りに捻るだけで、スライド部材がスライド移動して、前枠が開放となる構成もある)。
【００１０】
本発明に係る押出手段は、遊技機のシリンダ錠の鍵の挿入部にあり、最もシリンダ錠挿入部側から奥に位置するタンブラーよりも奥にある残留物を該鍵の挿入部側方向に押し出すものである。
【００１１】
請求項２に記載の本発明は、請求項１に記載の遊技機において、前記押出手段は、
前記シリンダ錠内部に弾性体を備え、前記シリンダ錠内部の残留物を該弾性体の復元力により、前記鍵の前記挿入部側方向に押し出すようにしたことを特徴とする
【００１２】
請求項３に記載の本発明は、請求項１又は請求項２に記載の遊技機において、前記シリンダ錠外部からの操作により、前記移動し、前記シリンダ錠内部の残留物を前記鍵の前記挿入部側方向に押し出すようにしたことを特徴とする。
【発明の効果】
【００１３】
請求項１に記載の遊技機によれば、シリンダ錠内部に折損した鍵の先端部が残留してしまった場合でも、シリンダ錠の末端側に位置する押出手段により鍵の挿入側へと移動させることが可能となる。従って、鍵が折損しても、従来必要であったシリンダ錠を分解して取り出す手間が要らない。そして容易に、折損した鍵の先端部をシリンダ錠内部から取り出すことができる。
【００１４】
請求項２に記載の遊技機によれば、シリンダ錠内部に折損した鍵の先端部が残留してしまった場合でも、シリンダ錠の末端側に設けた弾性体の復元力により取り出すことが可能となる。
【００１５】
請求項３に記載の遊技機によれば、請求項１又は請求項２の効果を奏するだけでなく、シリンダ錠内部で残留している折損した鍵の先端部をシリンダ錠外部から操作により、残留する折損した鍵の先端部を取り出すことが可能となる。これにより、タンブラー等の障害等により折損した該鍵の先端部がシリンダ錠内部できつく嵌ってしまった場合でも、操作者の任意で操作を行うことで、シリンダ錠から取り出すことができる。
【図面の簡単な説明】
【００１６】
【図１】パチンコ遊技機５０の正面図
【図２】遊技盤１の正面図
【図３】パチンコ遊技機５０の裏面図
【図４】パチンコ遊技機５０の電気的構成を示すブロック図
【図５】内枠７０の正面図及び側面図
【図６】スライド錠３９の側面図及び裏面図
【図７】スライド錠３９の斜視図
【図８】スライド錠３９による内枠、前枠の開放規制を示す側面図
【図９】（ａ）鍵９１を従来のシリンダ錠３６に挿入した様子を示す概略図，（ｂ）図９(ａ)の右側面図，（ｃ）鍵９１を従来のシリンダ錠３６に挿入した状態で反時計回りに回した様子を示す概略図，（ｄ）図９(ｃ)の右側面図
【図１０】（ａ）鍵９１の側面図，（ｂ）鍵９１が挿入した様子を示す従来のシリンダ錠３６の概略断面図
【図１１】（ａ）折損した鍵９１の側面図，（ｂ）折損した鍵９１の先端部９１ａが残留した様子を示す従来のシリンダ錠３６の概略断面図
【図１２】（ａ）鍵９１を挿入した様子を示す第１実施例のシリンダ錠の概略断面図，（ｂ）鍵９１が折損した様子を示す第１実施例のシリンダ錠３６の概略断面図
【図１３】押出装置９８が折損した鍵９１の先端部９１ａを押し出す様子を示す第１実施例のシリンダ錠３６の概略断面図
【図１４】（ａ）第２実施例のシリンダ錠３６の概略断面図，（ｂ）シリンダ錠３６内部に搭載されている押出棒９９のみを図１４(ａ)から取り出した図，（ｃ）図１４(ｂ)の平面図
【図１５】（ａ）鍵９１を挿入した様子を示す第２実施例のシリンダ錠の概略断面図，（ｂ）鍵９１が折損した様子を示す第２実施例のシリンダ錠３６の概略断面図
【図１６】（ａ）折損した鍵９１の先端部９１ａが残留した第２実施例のシリンダ錠３６の概略断面図，（ｂ）折損した鍵９１の先端部９１ａを押し出す様子を示す第２実施例のシリンダ錠３６の概略断面図
【図１７】（ａ）第３実施例のシリンダ錠３６の概略断面図，（ｂ）図１７(ａ)のシリンダ錠３６内部を拡大した概略断面図１
【図１８】（ａ）鍵９１を挿入した様子を示す第３実施例のシリンダ錠３６の概略断面図１，（ｂ）図１８(ａ)のシリンダ錠３６内部を拡大した概略断面図
【図１９】（ａ）鍵９１が挿入した様子を示す第３実施例のシリンダ錠の概略断面図２，（ｂ）図１９(ａ)のシリンダ錠３６内部を拡大した概略断面図
【図２０】（ａ）鍵９１が挿入した様子を示す第３実施例のシリンダ錠の概略断面図３，（ｂ）図２０(ａ)のシリンダ錠３６内部を拡大した概略断面図
【図２１】（ａ）折損した鍵９１が残留した様子を示す第３実施例のシリンダ錠３６の断概略断面図，（ｂ）図２１(ａ)のシリンダ錠３６内部を拡大した概略断面図
【図２２】（ａ）折損した鍵９１の先端部９１ａが残留した第３実施例のシリンダ錠３６の概略断面図，（ｂ）図２２(ａ)ののシリンダ錠３６内部の拡大した概略断面図
【図２３】（ａ）折損した鍵９１の先端部９１を押出装置９８により押し出す様子を示す第３実施例のシリンダ錠３６の概略断面図，（ｂ）図２３(ａ)のシリンダ錠３６内部を拡大した概略断面図
【発明を実施するための形態】
【００１７】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［第１実施例］
図１に示すように、弾球遊技機の一種であるパチンコ機５０は、縦長の固定外郭保持枠をなす外枠５１にて構成の各部を保持する構造である。
外枠５１の左側上下には、ヒンジ５３が設けられており、該ヒンジ５３の他方側には図３に記載する内枠７０が取り付けられており、内枠７０は外枠５１に対して開閉可能な構成になっている。
前枠５２には、板ガラス６１が取り外し自在に設けられており、板ガラス６１の奥には図２に記載する遊技盤１が内枠７０に取り付けられている。
なお、ヒンジ５３が設けられている外枠５１と逆側（ここでは右側）には、外枠５１と内枠７０及び内枠７０と前枠５２との施錠等を行うための鍵穴３９ａを有するスライド錠３９が設けられている。
前枠５２の上側左右及び外枠下側左右には、スピーカ６６が設けられており、パチンコ機５０から発生する遊技音が出力され、遊技者の趣向性を向上させる。また、遊技者の趣向性を向上させるために前枠５２に遊技状態に応じて発光する枠側装飾ランプ６５も複数設けられている。
前枠５２の下方には、上皿５５と下皿６３が一体に形成されている。下皿６３の右側には発射ハンドル６４が取り付けられており、該発射ハンドル６４を時計回りに回動操作することによって発射装置（図示省略）が可動して、上皿５５から供給された遊技球が遊技盤１に向けて発射される。
下皿６３の左側には、遊技者が操作可能な演出ボタン６７が備えられており、遊技者が所定期間中に、該演出ボタン６７を操作することで後述する演出図柄表示装置６に表示される内容が変化したり、スピーカ６６より出力される遊技音が変化したりする。
また、このパチンコ機５０はいわゆるＣＲ機であって、プリペイドカードの読み書き等を行うためのプリペイドカードユニット（ＣＲユニット）５６が付属しており、パチンコ機５０には、貸出ボタン５７、精算ボタン５８及び残高表示器５９を有するＣＲ精算表示装置が備わっている。
【００１８】
図２に示すように遊技盤１には、公知のガイドレール２ａ、２ｂによって囲まれた略円形の遊技領域３が設けられている。この遊技領域３には多数の遊技釘４が打ち付けられている。
遊技領域３のほぼ中央部には、センターケース５が配されている。センターケース５は、公知のものと同様に、ワープ入口、ワープ通路、ステージ、演出図柄表示装置６（液晶表示装置であり疑似図柄を表示する。）の画面６ａを臨ませる窓５ａ等を備えている。
窓５ａの上側にはドットマトリクスの普通図柄表示装置７及び７セグメントの特別図柄表示装置９と４個のＬＥＤからなる普通図柄保留記憶表示装置８が設置され、下側には特別図柄保留記憶表示装置１０が設置されている。
センターケース５の向かって左横には普通図柄作動ゲート１７が配置されている。
センターケース５の下方には、第１始動口１１と第２始動口１２とがユニット化された複合入賞装置１３が配置されている。
第１始動口１１は、いわゆるチャッカーであり、常時入球可能である。
第２始動口１２は電動チューリップであり、周知の電動チューリップと同様に開閉変化するが、上方に第１始動口１１があるために図示の閉鎖状態では遊技球を入球させることができない。しかし、遊技球が普通図柄作動ゲート１７を通過すると行われる普通図柄抽選で当り、普通図柄表示装置７に当りの普通図柄が確定表示されると、第２始動口１２は開放されて入球容易になる。
複合入賞装置１３の下方にはアタッカー式の大入賞口１４が配置され、その下方にはアウト穴１５が設けられている。
また、複合入賞装置１３の左側には第１左入賞口３１と第２左入賞口３２が、右側には第１右入賞口３３と第２右入賞口がガイドレール２ｂに沿うように設けられている。なお、この第１左入賞口３１、第２左入賞口３２、第１右入賞口３３、第２右入賞口３４が、常時、入球率が変化しない普通入賞口である。
【００１９】
図３に示すように、パチンコ機５０の裏側は、前述した遊技盤１を脱着可能に取り付ける内枠７０が前述した外枠５１に収納されている。この内枠７０には、上方から、球タンク７１、タンクレール７２及び払出装置７３が設けられている。この構成により、遊技盤１上の入賞口に遊技球の入賞があれば球タンク７１からタンクレール７２を介して所定個数の遊技球を払出装置７３により前述した上皿５５に排出することができる。
また、パチンコ機５０の裏側には（図４も参照のこと）、主制御装置８０、払出制御装置８１、演出図柄制御装置８２、サブ統合制御装置８３、発射制御装置８４、電源基板８５が設けられている。
主制御装置８０、演出図柄制御装置８２、サブ統合制御装置８３は遊技盤１に設けられており、払出制御装置８１、発射制御装置８４、電源基板８５が内枠７０に設けられている。なお、図３では、発射制御装置８４が描かれていないが、発射制御装置８４は払出制御装置８１の下に設けられている。
また、球タンク７１の右側には、外部接続端子板７８が設けられており、この外部接続端子板７８より、遊技状態や遊技結果を示す信号が図示しないホールコンピュータ８７に送られる。なお、従来はホールコンピュータ８７へ信号を送信するための外部接続端子板には、盤用（遊技盤側から出力される信号をホールコンピュータ８７へ出力するための端子）と枠用（（枠側（前枠５２、内枠７０、外枠５１）から出力される信号をホールコンピュータ８７へ出力するための端子）の２種類を用いているが、本実施例では、一つの外部接続端子板７８を介してホールコンピュータ８７へ遊技状態や遊技結果を示す信号を送信している。
【００２０】
このパチンコ機５０の電気的構成は、図４のブロック図に示すとおり、主制御装置８０を中心にして構成されている。なお、このブロック図には電源回路は記載していない。また、詳細の図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えているが、本実施例では発射制御装置８４、電源基板８５にはＣＰＵ、ＲＯＭ、ＲＡＭは設けられていない。しかし、これに限るわけではなく、発射制御装置８４にＣＰＵ、ＲＯＭ、ＲＡＭ等を設けてもよい。
主制御装置８０には、第１始動口１１に入球した遊技球を検出する第１始動口スイッチ１１ａ、第２始動口１２に入球した遊技球を検出する第２始動口スイッチ１２ａ、普通図柄作動ゲート１７に進入した遊技球を検出する普通図柄作動スイッチ１７ａ、大入賞口１４に入球した遊技球を計数するためのカウントスイッチ１４ａ、第１左入賞口３１および第２左入賞口３２に入球した遊技球を検出する左入賞口スイッチ３１ａ、第１右入賞口３３および第２右入賞口３４に入球した遊技球を検出する右入賞口スイッチ３３ａなどの検出信号が遊技盤中継端子板７４を介して入力される。
【００２１】
主制御装置８０は搭載しているプログラムに従って動作して、上述の検出信号などに基づいて遊技の進行に関わる各種のコマンドを生成して払出制御装置８１及びサブ統合制御装置８３に出力する。
また主制御装置８０は、図柄表示装置中継端子板９０を介して接続されている特別図柄表示装置９及び普通図柄表示装置７の表示、特別図柄保留記憶表示装置１０及び普通図柄保留記憶表示装置８の点灯を制御する。
更に、主制御装置８０は、遊技盤中継端子板７４を介して大入賞口ソレノイド１４ｂを制御することで大入賞口１４の開閉を制御し、普電役物ソレノイド１２ｂを制御することで第２始動口１２の開閉を制御する。なお、普電役物とは普通電動役物を示す。
主制御装置８０からの出力信号は、上記のほかにも試験信号端子や、図柄変動や大当たり等の管理用の信号が外部接続端子板７８に出力されてホールメインコンピュータに送られる。なお、本実施例では遊技球を払い出す構成であるが、入賞等に応じて発生した遊技球を払い出さずに記憶する封入式の構成にしても良い。
【００２２】
主制御装置８０と払出制御装置８１とは双方向通信が可能である。
払出制御装置８１は、主制御装置８０から送られてくるコマンドに応じて払出モータ２０を稼働させて賞球を払い出させる。図４の構成では、払出制御装置８１は裏配線中継端子板７５と払出中継端子板７６を介して払出モータ２０を制御する構成である。また、本実施例においては、賞球として払い出される遊技球を計数するための払出スイッチ２１の検出信号は払出制御装置８１に入力され、払出制御装置８１で賞球の計数が行われる構成を用いる。この他にも主制御装置８０と払出制御装置８１に払出スイッチ２１の検出信号が入力され、主制御装置８０と払出制御装置８１の双方で賞球の計数を行う構成を用いることも考えられる。
なお、払出制御装置８１は満杯スイッチ２２、球切れスイッチ２３からの信号が入力される構成で、満杯スイッチ２２により下皿６３が満タンであることを示す信号が入力された場合及び球切れスイッチ２３により球タンク７１に遊技球が少ないあるいは無いことを示す信号が入力されると払出モータ２０を停止させ、賞球の払出動作を停止させる。なお、満杯スイッチ２２、球切れスイッチ２３も、その状態が解消されるまで信号を出力し続ける構成になっており、払出制御装置８１は、その信号が出力されなくなることに起因して払出モータ２０の駆動を再開させる。
また、払出制御装置８１はＣＲユニット端子板２４を介してＣＲユニット５６と交信することで払出モータ２０を作動させ、貸し球を排出する。払出された貸し球は払出スイッチ２１に検出され、検出信号は払出制御装置８１に入力される。なお、ＣＲユニット端子板２４は精算表示装置２５とも双方向通信可能に接続されており、精算表示装置２５には、遊技球の貸出しを要求するための球貸スイッチ５７、精算を要求するための返却スイッチ５８、残高表示器５９が接続されている。
【００２３】
また、払出制御装置８１は、外部接続端子板７８を介して賞球に関する情報、枠（内枠７０、前枠５２）の開閉状態を示す情報などをホールコンピュータ８７に送信するほか、発射制御装置８４に対して発射停止信号を送信する。
発射制御装置８４は発射モータ３０を制御して、遊技球を遊技領域３に遊技球を発射させる。
なお、発射制御装置８４には払出制御装置８１以外に発射ハンドル６４からの回動量信号、タッチスイッチ２８からのタッチ信号、発射停止スイッチ２９から発射停止スイッチ信号が入力される。
回動量信号は、遊技者が発射ハンドル６４を操作することで出力され、タッチ信号は遊技者が発射ハンドル６４を触ることで出力され、発射停止スイッチ信号は、遊技者が発射停止スイッチ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００２４】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ６６からの音声出力を制御し、ランプ制御装置としての機能部はランプ制御用のデータに基づいてランプドライバを作動させることによって各種ＬＥＤや各種ランプを制御する。なお、音声出力に関しては、音量調整スイッチ８３ａにて音量を調節することができる。
また、サブ統合制御装置８３には、演出ボタン６７が接続されており、遊技者が演出ボタン６７を操作した際には、その信号がサブ統合制御装置８３に入力される。
【００２５】
サブ統合制御装置８３と演出図柄制御装置８２とは双方向通信が可能である。
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、疑似図柄等の演出画像を画面６ａに表示させる。
【００２６】
図５は、内枠７０の裏面図及び側面図であり、図５に記載されているように内枠７０には、枠開放規制装置に該当するスライド錠３９が取り付けられている。省略しているが、スライド錠３９には鍵穴３９ａが設けられている。
図６は、スライド錠３９の裏面図及び側面図であり、図７はスライド錠３９の斜視図である。スライド錠３９には、上述した枠錠装置に該当するシリンダ錠３６が一体に形成されている。
このシリンダ錠３６は、解錠するための鍵の種類を変更自在に行い得る可変式錠になっている。本実施例では、オムロン社製の通称オムロックという製品を使用する。
このような可変式錠をパチンコ機５０に使用することで、パチンコ遊技店は、店に配置される全てのパチンコ機を店独自の鍵（１種類）に設定することが出来る。なお、本発明に係るシリンダ錠３６内部についての説明は、後述する。
本実施例の枠開放規制装置に該当するスライド錠３９は内枠７０と前枠５２の両方の枠の開放が規制できる構成になっている。スライド錠３９は、図５、図６、図７に記載するように大きく分けてスライド錠本体部材４０、中央スライド部材４３、上スライド部材４４、下スライド部材４５、内枠規制上ツメ部材４１、内枠規制下ツメ部材４２、前枠規制スライド部材４６、上スライド部材戻しバネ４７、下スライド部材戻しバネ４８、前枠規制スライド部材戻しバネ４９から形成され、前枠規制スライド部材４６は、上ツメ部４６ａ、中ツメ部４６ｂ、下ツメ部４６ｃが形成されている。
【００２７】
本実施例では、シリンダ錠３６に、設定された鍵９１を挿入し、鍵９１を時計回りに回すことで、中央スライド部材４３及び中央スライド部材４３に連結された上スライド部材４４、下スライド部材４５が上側にスライドする。上スライド部材４４が上側にスライドすることで、回動可能に取り付けられている内枠規制上ツメ部材４１が上側に回動する。同じように下スライド部材４５が上側にスライドすることで、回動可能に取り付けられている内枠規制下ツメ部材４２が上側に回動する。
逆にシリンダ錠３６に鍵を挿入し、鍵９１を反時計回りに回すと前枠規制スライド部材４６が下側にスライドする。前述したように前枠規制スライド部材４６は上ツメ部４６ａ、中ツメ部４６ｂ、下ツメ部４６ｃを備えており、該３つのツメ部も同時に下側にスライドする。一方、前枠５２には、図８に記載するように前枠止め部材３８が設けられて、外枠５１には上述したように内枠止め部材３７が２個設けられている。なお、図８には、前枠５２の上側部分に設けられた前枠止め部材３８が１個しか記載されていないが、前枠５２には、合計３個の前枠止め部材３８が設けられている。
【００２８】
図８は、スライド錠３９の上側拡大図であり、図８の左側の図は、前枠５２及び内枠７０がスライド錠３９によって開放動作が規制されている状態が示され、真ん中の図は、スライド錠３９よって、内枠７０の開放動作が規制されているが、前枠５２の開放動作の規制が解除されている状態が示され、右側の図は、スライド錠３９によって、前枠５２の開放動作が規制されているが、内枠７０の開放動作の規制が解錠されている状態が示されている。
上述したように、シリンダ錠３６に設定された鍵を挿入し、鍵９１を時計回りに回すことで、中央スライド部材４３及び中央スライド部材４３に連結された上スライド部材４４、下スライド部材４５が上側にスライドする。上スライド部材４４が上側にスライドすることで、回動可能に取り付けられている内枠規制上ツメ部材４１が上側に回動する。同じように下スライド部材４５が上側にスライドすることで、回動可能に取り付けられている内枠規制下ツメ部材４２が上側に回動する。図８の右側の図に示すように内枠規制上ツメ部材４１が上側に回動することで、内枠規制上ツメ部材４１が外枠５１に設けられている内枠止め部材３７から外れることになる。なお、図８には記載されていないが、同じように内枠規制下ツメ部材４２が上側に回動することで、内枠規制下ツメ部材４２が外枠５１に設けられている内枠止め部材３７から外れることになる。このようにして、内枠７０の開放が可能になる。
一方、シリンダ錠３６に設定された鍵を挿入し、鍵９１を反時計回りに回すと前枠規制スライド部材４６（上ツメ部４６ａ、中ツメ部４６ｂ、下ツメ部４６ｃ）が下側にスライドする。図８の真ん中の図に示すように上ツメ部４６ａが下側にスライドすることで上ツメ部４６ａが前枠５２に設けられている前枠止め部材３８から外れることになる。なお、図１３には記載されていないが、同じように中ツメ部４６ｂ及び下ツメ部４６ｃが下側にスライドすることで中ツメ部４６ｂ及び下ツメ部４６ｃが前枠５２に設けられている前枠止め部材３８から外れることになる。前枠５２の開放が可能になる。
なお、本実施例では、シリンダ錠３６に設定された鍵を挿入し、鍵９１を時計回りに回すと内枠規制上ツメ部材４１及び内枠規制下ツメ部材４２が上側に回動し、反時計回りに回すと上ツメ部４６ａ、中ツメ部４６ｂ、下ツメ部４６ｃが下側にスライドするが、この構成に限らず、内枠規制上ツメ部材４１及び内枠規制下ツメ部材４２が下側に回動し、上ツメ部４６ａ、中ツメ部４６ｂ、下ツメ部４６ｃが上側にスライドする構成にしてもよい。
【００２９】
なお、図６及び図７に記載するように、スライド錠本体部材４０には、上スライド部材戻しバネ４７、下スライド部材戻しバネ４８、前枠規制スライド部材戻しバネ４９が取り付けられており、上スライド部材戻しバネ４７の他方には上スライド部材４４が取り付けられ、下スライド部材戻しバネ４８の他方には下スライド部材４５が取り付けられ、前枠規制スライド部材戻しバネ４９の他方には前枠規制スライド部材４６が取り付けられており、上スライド部材４４及び下スライド部材４５が上側にスライドしないように引っ張っている構成に、前枠規制スライド部材４６が下側にスライドしないように引っ張っている構成になっている。つまり、上スライド部材４４及び下スライド部材４５が上側にスライドしている状態で上記鍵から手を放すと上スライド部材４４及び下スライド部材４５は下側にスライドし（初期位置に戻り）、前枠規制スライド部材４６が下側にスライドしている状態で上記鍵から手を放すと前枠規制スライド部材４６は上側にスライドする（初期位置に戻る）。なお、上記鍵から手を放すと（どちらかに回転させている状態から）、その際には鍵も初期位置（回転角度）に戻る。
また、本実施例において、前枠５２及び内枠７０は別々の規制スライド部材に規制されているが、前枠５２及び内枠７０を規制する一体化した規制スライド部材を搭載する構成にしてもよい。
【００３０】
なお、本実施例では、上述したように、シリンダ錠３６に鍵９１を挿入し、鍵９１を回転させることで、スライド錠３９の一部の部品がスライドして、内枠７０あるいは前枠５２が開放可能になる構成になっているが、例えば、鍵を使用せずに、内枠規制上ツメ部材４１、上スライド部材４４、中央スライド部材４３、下スライド部材４５、内枠規制下ツメ部材４２、前枠規制スライド部材４６を動かしてもシリンダ錠３６は、変化しない構成になっている。つまり、シリンダ錠３６からスライド錠３９には動力が伝わるが、スライド錠３９からシリンダ錠３６へは動力が伝わらない構成になっている。
また、本実施例では、内枠７０が開放すれば、内枠７０に取り付けられた前枠５２も同時に動くことになるが、前枠５２が内枠７０に対して開放するわけではない。しかし、この構成に限らず、内枠７０が開放すれば、前枠５２も自動に開放される構成にしてもよい。
【００３１】
図９（ａ）は、鍵９１をシリンダ錠３６に挿入した状態を示す概略図であり、図９（ｂ）は、図９（ａ）の右側面図である。また、図９（ｃ）は、鍵９１をシリンダ錠３６に挿入した状態で反時計回りに回した状態を示す概略図であり、図９（ｄ）は、図９(ｃ)の右側面図である。
図９（ａ）に示すように、シリンダ錠３６はスライド錠３９の鍵穴３９ａとは逆側に、シリンダ取り付け板９２及びカム９３を備えている。シリンダ取り付け板９２の背面側に位置するカム９３は、第１ツメ部９３ａ及び第２ツメ部９３ｂを設けている。なお、図９（ｂ）に示すように、鍵穴３９ａに鍵９１を挿入した状態では、カム９３の第１ツメ部９３ａが上側、第２ツメ部９３ｂが下側に位置する。
図９（ｃ）に示すように、鍵９１をスライド錠３９の鍵穴３９ａに挿入した状態で、鍵９１を反時計回りに回動させることで、図９（ｄ）に示すように、カム９３の第１ツメ部９３ａが左側、第２ツメ部９３ｂが右側に位置する。なお、鍵９１から手を放すと、カム９３の第１ツメ部９３ａが左側、第２ツメ部９３ｂは、初期位置（回転角度）に戻る（図９（ｂ）を参照）。
カム９３に設けている第１ツメ部９３ａ及び第２ツメ部９３ｂは、鍵９１をスライド錠３９の鍵穴３９ａに挿入しつつ時計回り又は反時計回りに回動させることで、係止作用により内枠７０及び前枠５２に係るスライド部材がスライドし、枠体のロックを外すことが可能となっている。
【００３２】
図１０及び図１１を用いて、従来のシリンダ錠３６について説明する。図１０（ａ）は、鍵９１の概略図であり、図１０（ｂ）は鍵９１を挿入した状態による従来のシリンダ錠３６内部の概略断面図である。
鍵９１は凹凸形状となっている（図１０（ａ））。図１０（ｂ）に示すように、シリンダ錠３６内部には、鍵９１の挿入部を備えた円柱状の内筒９４と、内筒９４を包む円筒状の外筒９５と、外筒９５と内筒９４にまたがるようにタンブラー９６が内蔵されている。なお、タンブラー９６は、外筒９５に位置するタンブラーバネ９７の力により、シリンダ錠３６内部に頭出しするように内蔵されている。また、タンブラー９６に備えられているタンブラーバネ９７によって、引き戻しできるように構成されている。鍵９１をスライド錠３９の鍵穴３９ａに挿入すると、鍵９１の凹凸形状（図９（ａ）を参照）によって内筒９４側にタンブラー９６が押し戻され、内筒９４と外筒９５の境界が揃った場合には、鍵９１を時計回り及び反時計回りに回動操作をすることが可能となる構成である。
【００３３】
図１１（ａ）は、折損した鍵９１の概略図であり、図１１（ｂ）は、折損した鍵９１の先端部９１ａが残留した状態を示す従来のシリンダ錠３６内部の概略断面図である。
スライド錠３９の鍵穴３９ａに鍵９１を挿入した状態において、鍵９１が折損した場合には、図１１（ａ）に示すように鍵９１の先端が折損する。これに伴い、折損した鍵９１の先端部９１ａは、図１１（ｂ）に示すように、鍵穴３９ａ内にあり、シリンダ錠３６内部の最もカム９３側に配置されているタンブラー９２よりも奥に残留する。なお、鍵９１を回す力がかからなくなることで、カム９３の第１ツメ部９３ａが左側、第２ツメ部９３ｂは初期位置（回転角度）に戻る（図９（ｂ）を参照）。
【００３４】
本発明の本実施例について、図１２〜図１３を用いて説明する。図１２（ａ）は、鍵９１を挿入した状態での本実施例のシリンダ錠３６内部の概略断面図であり、図１２（ｂ）は、折損した鍵９１を引き抜いている様子を示す本実施例のシリンダ錠３６内部の概略断面図である。また、図１３は、折損した鍵９１を勢いよく引き抜いた場合のシリンダ錠３６内部の概略断面図である。
図１２（ａ）に示すように、本実施例のシリンダ錠３６内部の末端には、押出部９８ａ及び圧縮バネ９８ｂを備えた押出装置９８が搭載されている。鍵９１をスライド錠３９の鍵穴３９ａに挿入すると、鍵９１の先端部と押出部９８ａが接する。さらに、鍵９１を挿入することで、押圧された押出部９８ａはシリンダ錠３６のさらに奥へと移動する。これに伴い、押出装置９８に備えられている圧縮バネ９８ｂは、圧縮する。なお、鍵９１を本図の左方向に付勢するものであれば、圧縮バネ９８ｂに替えて、板バネまたは樹脂などの弾性体を用いる構成にしてもよい。
図１２（ｂ）に示すように、鍵９１が折損しても、鍵９１を引き抜いていくと、折損した鍵９１の先端部９１ａは圧縮バネ９８ｂの復元力により鍵穴３９ａ（図１２（ｂ）の左方向）へ移動する。鍵９１を勢いよく引き抜けば、図１３に示すように、先端部９１ａは圧縮バネ９８ｂの復元力によりシリンダ錠３６の外にでる。
また、本実施例の押出部９８ａは、折損した鍵９１の先端部９８ａと接していた位置から、シリンダ錠３６内部の最もカム９３側に配置されているタンブラー９２まで移動する構成となっている。なお、本実施例で示した押出部９８ａの移動距離は、押出部９８ａの移動距離を限定するものではない。
また、図１３に示すように、圧縮バネ９８ｂの復元力により押出部９８ａは、最もカム９３側に位置するタンブラー９２まで移動後、初期位置に戻る。
【００３５】
従来、鍵９１が遊技機の内枠７０の開放操作を行っていた時に折損した場合、シリンダ錠３６内部に残留した鍵９１の先端を取り出すことは困難であることから、シリンダ錠３６を分解しなければならなかった。しかし、本実施例の遊技機によれば、シリンダ錠３６内部に搭載された押出装置９８により、折損した鍵９１の先端部９１ａを押し出され、シリンダ錠３６内部から容易に取り出すことが可能となる。これにより、折損した鍵９１の先端部９１ａが、シリンダ錠３６内部に残留したまま放置される可能性を低くすることができる。
【００３６】
ここで本実施例の構成・状態と、本発明の構成要件との対応関係を示す。本発明の「シリンダ錠」が、シリンダ錠３６に相当し、「挿入部」が、鍵穴３９ａに相当し、「第１スライド部材」が、スライド錠本体部材４０、中央スライド部材４３、上スライド部材４４及び下スライド部材４５に相当し、「第２スライド部材」が、前枠規制スライド部材４６に相当し、「内枠」が、内枠７０に相当し、「前枠」が前枠５２に相当し、「タンブラー」が、タンブラー９７に相当し、「押出手段」が、押出装置９８に相当し、「残留物」が、折損した鍵９１の先端部９１ａに相当し、「弾性体」が、圧縮バネ９８ａに相当する。
【００３７】
［第２実施例］
本発明の第２実施例について、図１４〜図１６を用いて説明する。まず、図１４（ａ）は第２実施例のシリンダ錠３６内部を示す概略断面図であり、図１４（ｂ）はシリンダ錠３６内部に搭載されている押出棒９９のみを図１４(ａ)から取り出した図、図１４（ｃ）は図１４(ｂ)の平面図である。
図１４（ａ）に示すように、本実施例のシリンダ錠３６内部の末端には、カム９３と内筒９４を挿通させる押出棒９９を搭載している。なお、第２実施例では、押出棒９９の左方向を先端側とし、右方向を後端側として説明する。
この押出棒９９の先端側には、鍵９１の先端部と接し、鍵穴３９ａ側に押し出すための押出棒押出部９９ａを備えており、後端側には、操作者が手の平等で押圧するための押出棒押圧部９９ｂを備えている。
また、図１４（ｂ）及び図１４（ｃ）に示すように、押出棒押出部９９ａは、シリンダ錠３６内部に位置するタンブラー９２と引っ掛からないようにするため、横長の直方体の形状となっている。また、押出棒押圧部９９ｂは、横長の円柱状の形状となっている。
シリンダ錠３６の内筒９４の軸位置には該軸に沿ってカム９３方向へ貫通孔が形成されており、操作者が押出棒押圧部９９ｂに押圧することで、押出棒９９は鍵穴３９ａの方向へとスライド移動する構成となっている。また、押出棒押圧部９９ｂ及び押出棒押出部９９ａは、押出棒９９の軸よりも大きくなっていることが好ましい構成である。
【００３８】
図１５（ａ）は、鍵９１を挿入した状態での第２実施例のシリンダ錠３６内部の概略断面図であり、図１５（ｂ）は、鍵９１が折損した様子を示す本実施例のシリンダ錠３６内部の概略断面図である。
図１５（ａ）に示すように、鍵９１をスライド錠３９の鍵穴３９ａに挿入していくと、鍵９１の先端部と押出棒押出部９９ａが接する。鍵９１の先端が折損した場合には、図１５（ｂ）に示すように、折損した鍵９１の先端部９１ａがシリンダ錠３６の内部に残留する。
【００３９】
図１６（ａ）は、折損した鍵９１の先端部９１ａが残留した様子を示す第２実施例のシリンダ錠３６内部の概略断面図であり、図１６（ｂ）は、折損した鍵９１の先端部９１ａが押出棒９９により押し出された状態を示すシリンダ錠３６内部の概略断面図である。
図１６（ａ）に示すように、操作者が押出棒９９の押出棒押圧部９９ｂに押圧することで、押出棒９９は鍵穴３９ａの方向へとスライド移動し、押出棒９９の押出棒押出部９９ａと折損した鍵９１の先端部９１ａが接する。さらに、押出棒押圧部９９ｂを押圧することで、折損した鍵９１の先端部９１ａは、鍵穴３９ａ側へと押し出される（図１６（ｂ）を参照）。
なお、押出棒押圧部９９ｂをカム９３側への力を入れて、引っ張ることで、初期位置へと戻る（図１４（ａ）を参照）。
【００４０】
第２実施例の遊技機によれば、シリンダ錠３６に搭載されている押出棒９９により折損した鍵９１の先端部９１ａを鍵穴３９ａの方向へと押し出すことが可能となる。これにより、シリンダ錠内部３６で残留している折損した鍵９１の先端部９１ａが、タンブラー９２等の障害等によりきつく嵌ってしまった場合でも、操作者がシリンダ錠３６外部から押出棒９９に力を加えることで、折損した鍵９１の先端部９１ａを取り出すことができる。
【００４１】
ここで、本実施例の構成・状態と、本発明の構成要件との対応関係を示す。本発明の「押出手段」は、押出棒９９に相当し、「外部からの操作」は、押出棒９９に備えられている押出棒押圧部９９ｂへの押圧する操作に相当する。
【００４２】
[第３実施例]
本発明の第３実施例について、図１７〜図２３を用いて説明する。まず、図１７（ａ）は第３実施例のシリンダ錠３６内部を示す概略断面図であり、図１７（ｂ）は、図１７（ａ）の円で囲んだ箇所を拡大したシリンダ錠３６内部の概略断面図である。
図１７（ａ）に示すように、シリンダ錠３６内部の末端には、押出部９８ａ及び圧縮バネ９８ｂを備えた押出装置９８が搭載されている。鍵９１をスライド錠３９の鍵穴３９ａに挿入すると、鍵９１の先端部と押出部９８ａが接する。さらに、鍵９１を挿入することで、押圧された押出部９８ａはシリンダ錠３６のさらに奥へと移動する。これに伴い、押出装置９８に備えられている圧縮バネ９８ｂは、圧縮する。
また、図１７（ｂ）に示すように、シリンダ錠３６内部の末端には、ジョイントブロック１００が備えられている。このジョイントブロック１００のスライド錠３９の鍵穴３９ａ側の両端には、ヒンジ１０２が設けられており、該ヒンジ１０２の他方側にはジョイント部材１００ａが取り付けられている。このジョイント部材１００ａは、スライド錠３９の鍵穴３９ａ側から押圧されることで、ジョイントブロック１００に切り込み箇所に折り込むことが可能となっている。これにより、押出装置９８に設けられている押出部９８ａの嵌合部１０１と嵌合する構成となっている。
【００４３】
図１８（ａ）は第３実施例のシリンダ錠３６に鍵９１を挿入した様子を示す概略断面図であり、図１８（ｂ）は、図１８（ａ）のシリンダ錠３６を円で囲んだ箇所について拡大した断面図である。
図１８（ａ）に示すように、鍵９１をスライド錠３９の鍵穴３９ａに挿入し、シリンダ錠３６内部へと押し込んでいくことで、鍵９１の先端部９１ａと押出部９８ａが接する。
【００４４】
図１９（ａ）は第３実施例のシリンダ錠３６にさらに鍵９１を挿入した様子を示す概略断面図であり、図１８（ｂ）は図１８（ａ）のシリンダ錠３６を円で囲んだ箇所について拡大した概略断面図である。
図１９（ａ）に示すように、鍵９１を押し込んでいくことで、押出部９８ａはシリンダ錠３６の末端側へと移動する。これに伴い、押出装置９８ａに備えられている圧縮バネ９８ｂは、シリンダ錠３６末端側に圧縮する（図１９（ｂ）を参照）。
【００４５】
図２０（ａ）は、第３実施例のシリンダ錠３６のジョイント部材１００ａが折りたたまれる様子を示す概略断面図である。図２０（ｂ）は、図２０（ａ）のシリンダ錠３６の円で囲んだ箇所を拡大した断面図である。
図２０（ａ）に示すように、鍵９１をシリンダ錠３６内部へと押し込んでいくことで、押出部９８ａの嵌合部１０１とジョイント部材１００ａが接触する（図２０（ｂ）を参照）。さらに、鍵９１を押し込んでいくことで、ジョイント部材１００ａは、スライド錠３９の鍵穴３９ａ側から押圧され、ジョイントブロック１００に切り込み箇所に折り込まれる。これにより、押出部９８ａの嵌合部１０１に押出部９８ａ押し込まれ、ジョイントブロック１００は、押出部９８ａと嵌合する。なお、ジョイントブロックが押出部９８ａと嵌合することで、ジョイントブロック１００の両端に設けられているジョイント部材１００ａは初期状態へと元に戻る（図１８（ｂ）を参照）。
【００４６】
図２１（ａ）は、鍵９１が折損した様子を示す本実施例のシリンダ錠３６内部の概略断面図である。図２１（ｂ）は、図２１（ａ）のシリンダ錠３６の円で囲んだ箇所を拡大した断面図である。
図２１（ａ）に示すように、鍵９１が折損したことで、鍵９１の挿入により押し付けていた押出部９８ａへと力がかからなくなる。これにより、押出装置９８に備えている圧縮バネ９８ｂの復元力により、押出装置９８は押出部９８ａ接する折損した鍵９１の先端部９１ａは鍵穴３９ａ側へと押し出そうとするが、図２１（ｂ）に示すように、押出部９８ａの嵌合部１０１に嵌合しているため、ジョイント部材１００ａと嵌合部１０１の内部が引っ掛かり、押出部９８ａは鍵穴３９ａ方向へと移動することができない構成となっている。
【００４７】
図２２（ａ）は、折損した鍵９１の先端部９１ａがシリンダ錠３６に残留した様子を示す概略断面図である。図２２（ｂ）は、図２２（ａ）のシリンダ錠３６の円で囲んだ箇所を拡大した断面図である。
図２２（ａ）に示すように、鍵９１の先端部９１ａが折損した場合には、折損した鍵９１の先端部９１ａはシリンダ錠３６内部の最もカム９３側に配置されているタンブラー９２のカム９３側の奥に残留する。操作者は、シリンダ錠３６の外部に搭載したジョイント解除スイッチを操作することにより、図２２（ｂ）に示すように、ジョイントブロック１００のジョイント部材１００ａは、ジョイントブロック１００の先端部に位置する切り込み箇所に折り込まれる構成となっている。なお、ジョイント部材１００ａはジョイント解除スイッチの操作から所定の時間経過後に初期位置へと戻る構成となっている。
【００４８】
図２３（ａ）は、折損した鍵９１の先端部９１ａが押出装置９８により押し出された様子を示す概略断面図である。図２３（ｂ）は、図２３（ａ）のシリンダ錠３６の円で囲んだ箇所を拡大した断面図である。
図２２（ｂ）で示したように、押出部９８ａの嵌合部１０１とジョイント部材１００ａとの引っ掛かりが無くなるため、圧縮バネ９８ｂの復元力により押出部９８ａは最もカム側に位置するタンブラー９２まで移動を可能となる（図２３（ａ）を参照）。これにより、折損した鍵９１の先端部９１ａを鍵穴３９ａ側へと押し出すことが可能となる。
図２３（ｂ）に示すように、圧縮バネ９８ｂの復元力により押出部９８ａは、最もカム９３側に位置するタンブラー９２まで移動後、初期位置に戻る。
【００４９】
第３実施例の遊技機によれば、シリンダ錠３６内部に残留する折損した鍵９１の先端部９１ａを移動させるために、操作者はシリンダ錠３６の外部からの押圧する手間をかけず、任意で操作することでき、シリンダ錠３６内部から折損した鍵９１の先端部９１ａを取り出すことが可能となる。
【００５０】
ここで本実施例の構成・状態と、本発明の構成要件との対応関係を示す。本発明の「外部からの操作」は、ジョイント解除スイッチによる操作が該当する。
【００５１】
[その他の実施例]
折損した鍵９１の先端部９１ａをシリンダ錠３６内部から押し出す機構は、第１実施例乃至第３実施例の機構に限定されるものではなく、他の機構によって押し出す構成にしてもよい。また、第３実施例のように、押し出す機構による折損した鍵９１の先端部９１ａをシリンダ錠３６内部から押し出す作用を、他の制御機構等によって、制御することも考えられる。
【符号の説明】
【００５２】
１・・・遊技盤
３６・・・シリンダ錠
３９・・・スライド錠
３９ａ・・・鍵穴
５０・・・パチンコ機
５１・・・外枠
５２・・・前枠
７０・・・内枠
９１・・・鍵
９１ａ・・・折損した鍵９１の先端部
９６・・・タンブラー
９７・・・タンブラーバネ
９８・・・押出装置
９８ａ・・・押出部
９８ｂ・・・圧縮バネ
９９・・・押出棒
９９ａ・・・押出棒押出部
９８ｂ・・・押出棒押圧部
１００・・・ジョイントブロック
１００ａ・・・ジョイント部材
１０１・・・嵌合部
１０２・・・ヒンジ
【図１】
2014226279.tif 000003
【図２】
2014226279.tif 000004
【図３】
2014226279.tif 000005
【図４】
2014226279.tif 000006
【図５】
2014226279.tif 000007
【図６】
2014226279.tif 000008
【図７】
2014226279.tif 000009
【図８】
2014226279.tif 000010
【図９】
2014226279.tif 000011
【図１０】
2014226279.tif 000012
【図１１】
2014226279.tif 000013
【図１２】
2014226279.tif 000014
【図１３】
2014226279.tif 000015
【図１４】
2014226279.tif 000016
【図１５】
2014226279.tif 000017
【図１６】
2014226279.tif 000018
【図１７】
2014226279.tif 000019
【図１８】
2014226279.tif 000020
【図１９】
2014226279.tif 000021
【図２０】
2014226279.tif 000022
【図２１】
2014226279.tif 000023
【図２２】
2014226279.tif 000024
【図２３】
2014226279.tif 000025